(57)【特許請求の範囲】
【請求項１】
吹出し口を形成する開口面の一側面に一面を接し、かつ、吹出し口の内奥側で回動可能に取り付けられた従動側整流板と、
この従動側整流板と互いの板面を向き合わせるように備えられ、かつ、吹出し口から送り出されるエアを両側に振り分けるように回動可能に組み付けられる主動側整流板と、
第一のバーと、第二のバーと、第一のバーの押し込み方向への移動に伴って第二のバーを突き出す向きに移動させる連係手段と、第一のバーを常時突き出す向きに付勢する付勢手段を備えた連動機構と、
前記吹出し口の前方側にある主動側整流板の端部を前記吹出し口の前記従動側整流板が接する開口面の一側面側から離れさせる向きの当該主動側整流板の回動に伴って、前記一側面側に押し込まれる押し込みバーとを備えており、
前記連動機構の第一のバーと押し込みバーとが、当該押し込みバーの前記従動側整流板が接する開口面の一側面側に向けた押し込みにより前記付勢に抗して当該第一のバーを押し込み移動させ、かつ、前記第一のバーが、当該押し込みバーの前記一側面側から離れる向きへの移動によって前記付勢により突き出されると共に、当該付勢による第一のバーの突き出し終了位置からさらに当該押し込みバーが前記一側面から離れる向きに移動する構成としてあり、
前記連動機構の第二のバーが従動側整流板に組み付けられていると共に、前記押し込みバーの押し込みにより前記連動機構の第一のバーが押し込まれることによって前記従動側整流板が回動される構成としてあることを特徴とするルーバ機構。
【請求項２】
押し込みバーに、押し込みバーの移動方向に沿った長穴又は長溝が設けてあると共に、連動機構の第一のバーにこの長穴又は長溝に収まる突部が設けてあることを特徴とする請求項１記載のルーバ機構。
【発明の詳細な説明】
【０００１】
【発明の属する技術分野】
この発明は、各種空気調整装置におけるエアの吹出し口に設置されて、当該吹出し口から送り出されるエアの向きを変えるために用いられるルーバ機構に関する。
【０００２】
【従来の技術】
各種空気調整装置における吹出し口から送り出されるエアの向きを変えるために、同時に傾動される互いに板面を向き合わせた複数の薄板状をなす整流板を備えたルーバ機構が用いられている。
【０００３】
図１３は、典型的なルーバ機構の概要を示すものであり、吹出し口Ｆの右側と左側とにそれぞれ独立して可動されるルーバ機構ＲＪが備えられている。
【０００４】
【発明が解決しようとする課題】
しかるに、図１３に示す従来のルーバ機構ＲＪでは、前記吹出し口Ｆの側面Ｆｃに近接したもっとも端に位置される整流板Ｐ’が、当該吹出し口Ｆの前方側Ｆａにある端部を吹出し口Ｆの中央側に向けるように傾動された場合に、当該吹出し口Ｆの側面Ｆｃに沿って吹き出されるエアを当該吹出し口Ｆの中央側に向けて案内することができなかった。送風効率をより良くするために、かかる吹出し口Ｆの側面Ｆｃに沿って吹出されるエアも同時に吹出し口Ｆの中央側に案内させることが望まれていた。
【０００５】
図１および図２に示されるように、吹出し口Ｆの側面Ｆｃに近接したルーバ機構Ｒのもっとも端に位置される整流板Ｐ’が、ルーバ機構Ｒを構成する各整流板Ｐ、Ｐ…が吹出し口Ｆの前方側Ｆａにある端部を吹出し口Ｆの中央側に向けて傾動させた時に一緒にかかる端部を吹出し口Ｆの中央側に向けるように傾動させ、かつ、ルーバ機構Ｒを構成する各整流板Ｐ、Ｐ…が吹出し口Ｆの前方側Ｆａにある端部を吹出し口Ｆの側面Ｆｃ側に向けて傾動させた時には前記吹出し口Ｆの側面Ｆｃに一面を接しさせるように動作させることができれば、吹き出されるエアを全体として吹出し口Ｆの中央側に向けて案内し、また、吹出し口Ｆの側方側に向けて案内することができ、送風効率をより良くすることが可能となる。
【０００６】
しかし、ルーバ機構Ｒを構成する複数の整流板Ｐ、Ｐ…のうち、前記吹出し口Ｆの側面Ｆｃに近接した整流板Ｐ’のみを前記のように動作させることは、単純にはなし得ず、こうした動作機構の提供が望まれていた。
【０００７】
そこでこの発明は、かかる従来の技術の不都合を解消すること、特に、吹出し口の側面に近接したルーバ機構のもっとも端に位置される整流板を、ルーバ機構を構成する各整流板が吹出し口の前方側にある端部を吹出し口の中央側に向けて傾動させた時にのみ一緒にかかる端部を吹出し口の中央側に向けるように傾動させることを目的とする。
【０００８】
【課題を解決するための手段】
前記目的を達成するために、請求項１記載の発明にあっては、ルーバ機構Ｒを、吹出し口Ｆを形成する開口面３０の一側面３０’に一面を接し、かつ、吹出し口Ｆの内奥側で回動可能に取り付けられた従動側整流板１０と、この従動側整流板１０と互いの板面を向き合わせるように備えられ、かつ、吹出し口Ｆから送り出されるエアを両側に振り分けるように回動可能に組み付けられる主動側整流板２０と、第一のバー４１と、第二のバー４２と、第一のバー４１の押し込み方向への移動に伴って第二のバー４２を突き出す向きに移動させる連係手段４３と、第一のバー４１を常時突き出す向きに付勢する付勢手段４４を備えた連動機構４０と、前記吹出し口Ｆの前方側Ｆａにある主動側整流板２０の端部２１を前記吹出し口Ｆの前記従動側整流板１０が接する開口面３０の一側面３０’側から離れさせる向きの当該主動側整流板２０の回動に伴って、前記一側面３０’側に押し込まれる押し込みバー５０とを備えたものとした。そしてさらに、前記連動機構４０の第一のバー４１と押し込みバー５０とが、当該押し込みバー５０の前記従動側整流板１０が接する開口面３０の一側面３０’側に向けた押し込みにより前記付勢に抗して当該第一のバー４１を押し込み移動させ、かつ、前記第一のバー４１が、当該押し込みバー５０の前記一側面３０’側から離れる向きへの移動によって前記付勢により突き出されると共に、当該付勢による第一のバー４１の突き出し終了位置ＴＳからさらに当該押し込みバー５０が前記一側面３０’から離れる向きに移動する構成としてあり、前記連動機構４０の第二のバー４２が従動側整流板１０に組み付けられていると共に、前記押し込みバー５０の押し込みにより前記連動機構４０の第一のバー４１が押し込まれることによって前記従動側整流板１０が回動される構成とした。
【０００９】
また、請求項２記載の発明にあっては、請求項１記載の発明にかかるルーバ機構Ｒにおける押し込みバー５０に、押し込みバー５０の移動方向に沿った長穴又は長溝５１が設けてあると共に、連動機構４０の第一のバー４１にこの長穴又は長溝５１に収まる突部４５が設けてある構成とした。
【００１０】
【発明の実施の形態】
以下、この発明の典型的な実施の形態について、説明する。
【００１１】
この実施の形態にかかるルーバ機構Ｒは、先ず、吹出し口Ｆを形成する開口面３０の一側面３０’に一面を接し、かつ、吹出し口Ｆの内奥側で回動可能に取り付けられた従動側整流板１０を備える。かかる構成より、従動側整流板１０は、吹出し口Ｆの前方側Ｆａにある端部１１を吹出し口Ｆの中央側に向けて移動させる位置と、前記開口面３０の一側面３０’に一面を接しさせる位置との間でのみ回動される。
【００１２】
次いで、この実施の形態にかかるルーバ機構Ｒは、前記従動側整流板１０と互いの板面を向き合わせるように備えられ、かつ、吹出し口Ｆから送り出されるエアを両側に振り分けるように回動可能に組み付けられる主動側整流板２０を備える。かかる構成より、主動側整流板２０は、従動側整流板１０と同じ向きに板面を位置させるものとされる。
【００１３】
次いで、この実施の形態にかかるルーバ機構Ｒは、第一のバー４１と、第二のバー４２と、第一のバー４１の押し込み方向への移動に伴って第二のバー４２を突き出す向きに移動させる連係手段４３と、第一のバー４１を常時突き出す向きに付勢する付勢手段４４を備えた連動機構４０を備える。かかる構成より、押し込み方向へ移動された第一のバー４１は、当該押し込み力が加わらなくなった時点より、突き出し方向に移動され、この第一のバー４１の突き出し方向への移動により突き出された第二のバー４２は引き込み方向に移動される。
【００１４】
次いで、この実施の形態にかかるルーバ機構Ｒは、前記吹出し口Ｆの前方側Ｆａにある主動側整流板２０の端部２１を前記吹出し口Ｆの前記従動側整流板１０が接する開口面３０の一側面３０’側から離れさせる向きの当該主動側整流板２０の回動に伴って、前記一側面３０’側に押し込まれる押し込みバー５０を備える。そして、前記連動機構４０の第一のバー４１と押し込みバー５０とが、当該押し込みバー５０の前記従動側整流板１０が接する開口面３０の一側面３０’側に向けた押し込みにより前記付勢に抗して当該第一のバー４１を押し込み移動させ、かつ、前記第一のバー４１が、当該押し込みバー５０の前記一側面３０’側から離れる向きへの移動によって前記付勢により突き出されると共に、当該付勢による第一のバー４１の突き出し終了位置ＴＳからさらに当該押し込みバー５０が前記一側面３０’から離れる向きに移動する構成としてある。かかる構成により、前記吹出し口Ｆの前方側Ｆａにある主動側整流板２０の端部２１を当該吹出し口Ｆの前記従動側整流板１０が接する開口面３０の一側面３０’側から離れさせる向きの主動側整流板２０の回動により、前記連動機構４０の第一のバー４１を押し込み方向に移動させ、これに伴って第二のバー４２を突き出す向きに移動させることができる。また、前記主動側整流板２０の端部２１の前記一側面３０’側に近付く向きへの回動により前記押し込みバー５０を当該一側面３０’側から離れる向きへ移動させ、かつ、第一のバー４１を前記付勢により突き出し方向に移動、復帰させると共に、この第一のバー４１の突き出し方向の移動に伴って突き出された第二のバー４２を引き込ませることができる。また、前記主動側整流板２０の端部２１の前記一側面３０’側へのさらに近付く向きへの移動により前記押し込みバー５０をさらに当該一側面３０’側から離れる向きへ移動させることができる。
【００１５】
さらに、この実施の形態にかかるルーバ機構Ｒは、前記連動機構４０の第二のバー４２が従動側整流板１０に組み付けられていると共に、前記押し込みバー５０の押し込みにより前記連動機構４０の第一のバー４１が押し込まれることによって、前記開口面３０の一側面３０’に一面を接しさせている従動側整流板１０が回動される構成としてある。かかる構成により、前記主動側整流板２０が吹出し口Ｆの前方側Ｆａにある端部２１を前記開口面３０の一側面３０’から離れさせる向きに回動された場合に、従動側整流板１０をその吹出し口Ｆの前方側Ｆａにある端部１１が吹出し口Ｆの中央側に向けて移動するように回動させることができると共に、前記主動側整流板２０が吹出し口Ｆの前方側Ｆａにある端部２１を前記開口面３０の一側面３０’に近付ける向きに回動されることに伴って、従動側整流板１０をその一面を前記開口面３０の一側面３０’に接しさせる位置まで回動させて、引き戻すことができる。
【００１６】
この実施の形態にかかるルーバ機構Ｒにあっては、以上の構成より、主動側整流板２０がその板面を吹き出されるエアの流れを両側に振り分けない傾動前位置ＭＣから、最も前記開口面３０の一側面３０’から前記端部２１を離れ出した第一の最大傾動位置ＭＡまでの間を回動される場合に、前記押し込みバー５０により前記連動機構４０を構成する第一のバー４１を押し込ませるようにすると共に、（図３）前記主動側整流板２０が傾動前位置ＭＣに位置される場合、（図４）および、当該主動側整流板２０が当該傾動前位置ＭＣから、最も前記開口面３０の一側面３０’に前記端部２１を近付ける第二の最大傾動位置ＭＢまでの間を回動される場合に、（図５）前記押し込みバー５０により前記連動機構４０を構成する第一のバー４１を押し込ませないように設定することにより、前記傾動前位置ＭＣから第一の最大傾動位置ＭＡまで主動側整流板２０が回動されるときにのみ従動側整流板１０を回動させることができる。
【００１７】
この結果、この実施の形態にかかるルーバ機構Ｒによれば、前記吹出し口Ｆから吹き出されるエアを全体として吹出し口Ｆの中央側に向けて案内し、また、吹出し口Ｆの側方側に向けて案内することができ、送風効率をより向上させることが可能となる。
【００１８】
また、前記実施の形態にかかるルーバ機構Ｒを構成する押し込みバー５０に、押し込みバー５０の移動方向に沿った長穴又は長溝５１が設けてあると共に、連動機構４０の第一のバー４１にこの長穴又は長溝５１に収まる突部４５を設ける構成とすることが、この発明の最良の実施の形態の一つとされる。
【００１９】
かかる構成によれば、前記主動側整流板２０が前記傾動前位置ＭＣより第一の最大傾動位置ＭＡまで回動される間において、前記押し込みバー５０における前記主動側整流板２０の組み付け側にある長穴又は長溝５１の押圧端部５２により連動機構４０を構成する第一のバー４１の突部４５を押させ、前記主動側整流板２０が前記傾動前位置ＭＣより第二の最大傾動位置ＭＢまで回動される間において、前記連動機構４０を構成する第一のバー４１の突部４５を前記長穴又は長溝５１内に収めた状態で、当該第一のバー４１を押圧あるいは引っ張ることなく、前記押し込みバー５０を移動させることができる。
【００２０】
次いで、図３ないし図１２に示されるこの発明のより具体的な実施の形態について説明する。
【００２１】
なお、ここで図３は、この実施の形態にかかるルーバ機構Ｒの構成を理解し易いように、主動側整流板２０を第一の最大傾動位置ＭＡとし、かつ、従動側整流板１０を最大傾動位置ＭＯとしたルーバ機構Ｒの要部構成を示している。また、図４は、主動側整流板２０を傾動前位置ＭＣとし、かつ、従動側整流板１０を傾動停止位置ＭＳとしたルーバ機構Ｒの要部構成を示している。また、図５は、主動側整流板２０を第二の最大傾動位置ＭＢとし、かつ、従動側整流板１０を傾動停止位置ＭＳとしたルーバ機構Ｒの要部構成を示している。また、図６は、この実施の形態にかかるルーバ機構Ｒの概要を理解し易いように、かかるルーバ機構Ｒを構成する各部品を斜視の状態として示している。
【００２２】
また、図７ないし図１２は、ルーバ機構Ｒを構成する連動機構４０の構成を理解し易いように、かかる連動機構４０の構成部品を分解し斜視の状態で（図７）、側方から見た状態で（図８、図９、図１０）、上方から見た状態で（図１１）蓋体４０ｂを取り去った状態で（図１２）、それぞれ示している。
【００２３】
図３ないし図１２に示されるルーバ機構Ｒは、例えば、図６に特に示されるように、向き合った一対の上下板部３１、３１と、この上下板部３１、３１間に亙る側板３２により形成される細長い吹出し口Ｆより吹き出されるエアの向きを、当該吹き出し口の左右方向に案内するように、複数の主動側整流板２０、２０…と、この主動側整流板２０の回動に伴って回動される従動側整流板１０とを、互いの板面を向き合わせ、かつ、前記吹出し口Ｆを略等間隔に仕切るように当該吹出し口Ｆに設けて構成される。
【００２４】
従動側整流板１０は、前記吹出し口Ｆの後方側Ｆｂにある端部側において、その上部と下部をそれぞれ前記上下板部３１、３１に回動可能に組み付けて、前記吹出し口Ｆの内奥側に備えられている。また、従動側整流板１０は、前記吹出し口Ｆを構成する側板３２に一面を接しさせる傾動停止位置ＭＳから、前記吹出し口Ｆの前方側Ｆａにある端部１１を当該吹出し口Ｆの中央側に向ける最大傾動位置ＭＯまで回動される構成としてある。この実施の形態にあっては、前記回動組み付け位置を中心に約４０度、前記吹出し口Ｆの中央側に向けて従動側整流板１０が回動される構成としてある。
【００２５】
一方、複数の主動側整流板２０、２０…はそれぞれ、その上部と下部を前記上下板部３１、３１に回動可能に組み付けて、前記吹出し口Ｆに回動可能に備えられている。この実施の形態にあっては、各主動側整流板２０、２０…は、前記傾動前位置ＭＣを基準として前記回動組み付け位置２２を中心に左右にそれぞれ約４０度回動される構成としてあり、前記吹出し口Ｆから吹き出されるエアを左右に振り分けるように案内する構成としてある。
【００２６】
この実施の形態にあっては、複数の主動側整流板２０、２０…のうち、前記従動側整流板１０に隣り合う主動側整流板２０がモータ６０により駆動される駆動側整流板２０’としてあり、この駆動側整流板２０’の駆動に伴って、他の複数の主動側整流板２０、２０…が互いに板面を略平行に保った状態で同時に前記のように回動される構成としてある。
【００２７】
すなわち、この実施の形態にあっては、前記吹出し口Ｆを構成する上下板部３１、３１に対する回動組み付け位置２２よりも、当該吹出し口Ｆの後方側Ｆｂにおいて、前記駆動側整流板２０’と他の複数の主動側整流板２０、２０…とが、当該駆動側整流板２０’の回動に伴って当該吹出し口Ｆの左右方向に移動可能に構成された連動バー２３を介してそれぞれ連結されており、駆動側整流板２０’が前記傾動前位置ＭＣから前記第一の最大傾動位置ＭＡに向けて、あるいは、第二の最大傾動位置ＭＢに向けて駆動、回動されることに伴って、他の複数の主動側整流板２０、２０…も第一の最大傾動位置ＭＡあるいは第二の最大傾動位置ＭＢに向けて回動される構成としてある。より詳細には、前記駆動側整流板２０’の下部側および他の複数の主動側整流板２０、２０…の下部側にはそれぞれ軸ピン２３ａが設けてあると共に、前記連動バー２３には複数の軸穴２３ｂ、２３ｂ…が設けてあり、前記各主動側整流板２０、２０…の軸ピン２３ａを前記連動バー２３の軸穴２３ｂにそれぞれ回動可能に収めて、前記複数の主動側整流板２０、２０…を連結している。
【００２８】
この実施の形態にあっては、前記駆動側整流板２０’の下部側に組み付けられる回動軸２４が前記吹出し口Ｆの下板部３１に設けた穴（図示は省略する。）を通じて当該吹出し口Ｆの外側に突き出されており、この回動軸２４を一端に一体に備えたアーム２５の他端と、前記側板３２の外側に配されるモータ６０の駆動軸６１に一端を固定されたアーム６２の他端とを、駆動力伝達バー７０の端部にそれぞれ回動可能に組み付けて、前記モータ６０の駆動により前記駆動側整流板２０’を回動させる構成としてある。
【００２９】
また、この実施の形態にあっては、前記吹出し口Ｆを構成する側板３２の外側に、前記主動側整流板２０の前記傾動前位置ＭＣから前記第一の最大傾動位置ＭＡへの回動に伴って、前記従動側整流板１０を前記傾動停止位置ＭＳから最大傾動位置ＭＯまで回動させる連動機構４０が設けてある。
【００３０】
かかる連動機構４０は、この実施の形態にあっては、前記吹出し口Ｆの左右方向に移動可能で、かつ、連動機構４０を構成するケース本体４０ａから同方向に先端を突き出させた第一のバー４１および第二のバー４２と、第一のバー４１の押し込み方向への移動に伴って第二のバー４２を突き出す向きに移動させる連係手段４３と、第一のバー４１を常時突き出す向きに付勢する付勢手段４４を備えている。なお、図中符号４０ｂで示されるのは、ケース本体４０ａの開口を塞ぐ蓋体である。
【００３１】
連係手段４３は、第一のバー４１と第二のバー４２との互いに向き合う側に設けられたラック状部４１ａ、４２ａと、第一のバー４１と第二のバー４２との間に回動可能に組み付けられ、かつ、この回動組み付け位置を中心とした両側に、第一のバー４１のラック状部４１ａの歯部に噛み合う歯部４３ｃを外側に備えた扇状部４３ｂと、第二のバー４２のラック状部４２ａの歯部に噛み合う歯部４３ｃを備えた扇状部４３ｂとをそれぞれ備えた歯車部材４３ａとにより構成してある。この実施の形態にあっては、かかる連動機構４０により、ケース本体４０ａ内に第一のバー４１が押し込まれると歯車部材４３ａが回転されて第二のバー４２を突き出し方向に移動させ、かつ、第一のバー４１が突き出し方向に再び移動されると歯車部材４３ａを逆向きに回転させて第二のバー４２を引き込み方向に移動させることが可能とされている。
【００３２】
また、付勢手段４４は、この実施の形態にあっては、前記第一のバー４１のケース本体４０ａ内側の端部に開口した収納穴（図示は省略する。）の穴底と、この端部に向き合ったケース本体４０ａの側面との間に介装される圧縮コイルバネ４４ａとして構成されている。この実施の形態にあっては、かかる付勢手段４４により、第一のバー４１のケース本体４０ａからの突き出し終了位置ＴＳからの押し込みに伴って、このバネ４４ａに当該第一のバー４１を前記突き出し終了位置ＴＳまで再び突き出させる付勢力が蓄えられる構成とされている。この実施の形態にあっては、かかる付勢手段４４により、前記第一のバー４１を押し込む外力が取り除かれることにより第一のバー４１を前記突き出し終了位置ＴＳまで再び移動させ、それと同時に、この第一のバー４１の押し込みにより突き出されていた第二のバー４２を突き出される前の位置まで引き戻すことが可能とされている。
【００３３】
そして、この実施の形態にあっては、前記駆動側整流板２０’の前記吹出し口Ｆの後方側の端部側において、当該駆動側整流板２０’の上下方向略中ほどの位置に一端を組み付けられると共に、他端側を前記吹出し口Ｆを構成する側板３２に設けた窓穴３４から当該側板３２外側に突き出させるように構成された押し込みバー５０を備えており、この押し込みバー５０の前記他端部において、前記駆動側整流板２０’が前記傾動前位置ＭＣより第一の最大傾動位置ＭＡの間で回動された際に、前記連動機構４０の第一のバー４１の押し込みをなす構成としてある。
【００３４】
すなわち、この実施の形態にあっては、前記押し込みバー５０に、当該押し込みバー５０の他端縁において開放され、かつ、当該押し込みバー５０の移動方向に沿った長溝５１を設けてある。一方、前記連動機構４０の第一のバー４１の先端側には、当該押し込みバー５０の他端を両側から挟み込む一対の板片４１ｂ、４１ｂからなる収容部４１ｃが設けてあり、この一対の板片４１ｂ、４１ｂの先端内側に前記押し込みバー５０の長溝５１に入り込み、収まる突部４５が設けてある。そして、この実施の形態にあっては、前記駆動側整流板２０’が前記傾動前位置ＭＣから第一の最大傾動位置ＭＡまで回動される間において、前記窓穴３４から他端を突き出させる前記押し込みバー５０が前記長溝５１の終端部を押圧端部５２として前記第一のバー４１の突部４５を押して当該第一のバー４１を押し込むと共に、前記駆動側整流板２０’が前記傾動前位置ＭＣより第二の最大傾動位置ＭＢまで回動される間において、前記連動機構４０を構成する第一のバー４１の突部４５が、前記駆動側整流板２０’の前記回動により前記窓穴３４から端部を抜け出させる向きに移動される前記押し込みバー５０の当該移動を妨げることなく前記長溝５１内に収まった状態で、当該第一のバー４１を前記突き出し終了位置ＴＳに留まらせる構成としてある。
【００３５】
また、この実施の形態にあっては、前記従動側整流板１０の前記吹出し口Ｆを構成する側板３２に接する面部に前記連動機構４０の第二のバー４２の先端の組み付け部１２が設けてあると共に、前記吹出し口Ｆを構成する側板３２にかかる従動側整流板１０が当該側板３２面に前記面部を接しさせる傾動停止位置ＭＳにおいて前記組み付け部１２を収める窓穴３３が設けてある。そして、この実施の形態にあっては、前記連動機構４０の第二のバー４２がこの窓穴３３を通じて従動側整流板１０の前記組み付け部１２に先端を組み付けた構成としてある。
【００３６】
すなわち、この実施の形態にあっては、従動側整流板１０の組み付け部１２が、当該従動側整流板１０の幅方向に向けて長い長穴１２ａを当該従動側整流板１０の板面に略直交する向きに設けた突片１２ｂに設けて構成してあると共に、前記連動機構４０の第二のバー４２の先端側には、当該突片１２ｂを両側から挟み込む一対の板片４２ｂ、４２ｂからなる収容部４２ｃを設け、かつ、この一対の板片４２ｂ、４２ｂの先端内側に前記組み付け部１２の長穴１２ａに入り込み、収まる突部４２ｄを設けて、連動機構４０の第二のバー４２と従動側整流板１０とを組み付けている。かかる構成により、この実施の形態にあっては、前記連動機構４０の第二のバー４２の突き出し方向への移動により従動側整流板１０が傾動停止位置ＭＳから最大傾動位置ＭＯまで回動することとされる。
【００３７】
この実施の形態にかかるルーバ機構Ｒは以上に説明した構成を備えることから、駆動側整流板２０’の傾動前位置ＭＣから第一の最大傾動位置ＭＡに向けた回動に伴って、前記押し込みバー５０により前記連動機構４０を構成する第一のバー４１を次第に押し込み、それと同時に第二のバー４２を次第に突き出させて、駆動側整流板２０’と従動側整流板１０との板面を略平行に保った状態で従動側整流板１０を傾動停止位置ＭＳから最大傾動位置ＭＯまで回動させることができる。
【００３８】
また、駆動側整流板２０’の第一の最大傾動位置ＭＡから傾動前位置ＭＣに向けた回動に伴なう前記押し込みバー５０の移動により前記連動機構４０の付勢手段４４の付勢により第一のバー４１を次第に突き出させ、それと同時に第二のバー４２を次第に引き込んで、駆動側整流板２０’と従動側整流板１０との板面を略平行に保った状態で従動側整流板１０を最大傾動位置ＭＯから傾動停止位置ＭＳまで回動させることができる。
【００３９】
また、駆動側整流板２０’の傾動前位置ＭＣから第二の最大傾動位置ＭＢに向けた回動に伴なう前記押し込みバー５０の移動により第一のバー４１を移動させることがなく、したがって、第二のバー４２も移動されることがなく、かかる駆動側整流板２０’の回動時には、従動側整流板１０を傾動停止位置ＭＳに維持することができる。
【００４０】
なお、前記付勢手段４４により第一のバー４１は常時突き出す向きに付勢され、連係手段４３により第二のバー４２は常時引き込み方向に向けた力を受けるので、これにより、傾動停止位置ＭＳにある従動側整流板１０は前記吹出し口Ｆを形成する側面Ｆｃにガタなく密着される。
【００４１】
【発明の効果】
この発明にかかるルーバ機構Ｒによれば、容易かつ確実に、各種空気調和装置の吹出し口Ｆから吹き出されるエアを全体として吹出し口Ｆの中央側に向けて案内し、また、吹出し口Ｆの側方側に向けて案内することができ、かかつ各種空気調和装置における送風効率をより良くすることができる。
【図面の簡単な説明】
【図１】ルーバ機構Ｒの構成を示す説明図
【図２】ルーバ機構Ｒの構成を示す説明図
【図３】ルーバ機構Ｒの動作状態を示す説明図
【図４】ルーバ機構Ｒの動作状態を示す説明図
【図５】ルーバ機構Ｒの動作状態を示す説明図
【図６】ルーバ機構Ｒの分解斜視図
【図７】連動機構４０の分解斜視図
【図８】連動機構４０の正面図
【図９】連動機構４０の側面図
【図１０】連動機構４０の背面図
【図１１】連動機構４０の平面図
【図１２】蓋体４０ｂを取り去った状態の連動機構４０の正面図
【図１３】従来のルーバ機構ＲＪの構成を示す説明図
【符号の説明】
Ｒ  ルーバ機構
Ｆ  吹出し口
Ｆａ  前方側
１０  従動側整流板
２０  主動側整流板
２１  端部
３０  開口面
３０’  一側面
４０  連動機構
４１  第一のバー
４２  第二のバー
４３  連係手段
４４  付勢手段
５０  押し込みバー
ＴＳ  突き出し終了位置
【図１】
0003713112.tif 000002
【図２】
0003713112.tif 000003
【図３】
0003713112.tif 000004
【図４】
0003713112.tif 000005
【図５】
0003713112.tif 000006
【図６】
0003713112.tif 000007
【図７】
0003713112.tif 000008
【図８】
0003713112.tif 000009
【図９】
0003713112.tif 000010
【図１０】
0003713112.tif 000011
【図１１】
0003713112.tif 000012
【図１２】
0003713112.tif 000013
【図１３】
0003713112.tif 000014